(57)【要約】 【課題】発光素子とプリズムとを利用した表示装置であって、従来の同タイプの表示装置とは異なる状態、趣で目新しく光表示を行える表示装置を提供する。【解決手段】発光素子ＲＬＥＤ、ＧＬＥＤ及びＢＬＥＤとプリズム５とを含み、該発光素子からの光を該プリズムに入射し、該プリズムから出射させる表示ユニットＵ１〜Ｕ６を有する表示装置ＤＳ。プリズム５は、下から上へ順次一体的に重ねられた複数層部分５１〜５５からなり、該複数層部分の各層部分は、該層部分に隣り合う層部分と段差部５０を形成し、複数層部分全体として錐台形状を呈しており、複数の発光素子挿入穴５６がプリズム側周面からプリズム中へ横方向に形成されており、各穴５６に発光素子ＲＬＥＤ、ＧＬＥＤ又はＢＬＥＤの少なくとも先端発光部分ＬＥＰが挿入配置されている。【選択図】  図１
2006201369.tif 000002
【特許請求の範囲】
【請求項１】
発光素子とプリズムとを含み、該発光素子からの光を該プリズムに入射し、該プリズムから出射させる表示ユニットを１又は２以上有する表示装置であって、少なくとも一つの表示ユニットにおいては、該プリズムは、下から上へ順次重ねられた複数層部分からなっており、該複数層部分の各層部分は、該層部分に隣り合う層部分と段差部を形成しており、複数の発光素子挿入穴がプリズム側周面からプリズム中へ横方向に形成されており、該各発光素子挿入穴に発光素子の少なくとも発光部分が挿入配置されていることを特徴とする表示装置。
【請求項２】
前記複数層部分からなるプリズムにおける該複数層部分は全体として錐台状に下から上へ順次重ねられており、前記発光素子挿入穴は、該複数層部分のうち少なくとも最下段の層部分に形成されている請求項１記載の表示装置。
【請求項３】
前記発光素子挿入穴に発光部分が挿入配置される発光素子として、赤色発光素子、緑色発光素子及び青色発光素子から選ばれた少なくとも２種類の発光素子が用いられ、前記複数層部分からなるプリズムには、該発光素子挿入穴として、該選ばれた各色の発光素子をそれぞれ挿入配置する穴が形成されている請求項１又は２記載の表示装置。
【請求項４】
前記複数層部分からなるプリズムは、最下段層部分の下面中央部からプリズム中を上方へプリズム高さの途中まで立ち上がる穴を有している請求項１、２又は３記載の表示装置。
【請求項５】
前記複数層部分からなるプリズムは、最下段層部分の下面中央部から最上段層部分の上面中央部まで貫通する孔を有している請求項１、２又は３記載の表示装置。
【請求項６】
前記複数層部分からなるプリズムは、最下段層部分の下面中央部からプリズム中を上方へプリズム高さの途中まで立ち上がる穴を有しているとともに、下面が該穴に臨み、上面がプリズム上方へ向け露出されたレンズ部を含んでいる請求項１、２又は３記載の表示装置。
【請求項７】
前記複数層部分からなるプリズムは透明材料で一体的に形成されている請求項１から５のいずれかに記載の表示装置。
【請求項８】
少なくとも前記複数層部分らかなるプリズムを含む表示ユニットについて、前記発光素子の動作を制御する制御部を備えている請求項１から６のいずれかに記載の表示装置。
【発明の詳細な説明】
【技術分野】
【０００１】
本発明は、各種分野において使用できる表示装置、特に、発光素子とプリズムとを利用した表示装置に関する。
【背景技術】
【０００２】
表示装置は種々のタイプのものが知られているが、その中に、発光素子とプリズムとを利用した表示装置がある。
このタイプの表示装置は、例えばパチンコ機、パチスロ機等の遊技機に関して該遊技機の状態等を表示する表示装置として、また、各種の報知、警告等のための表示装置として、さらに、電飾用表示装置等としても採用できる。
【０００３】
例えば、意匠登録第１２２３２６９号公報は、上面を傾斜面に形成した小プリズム部を環状に一体的に配列してなるプリズムの該小プリズム部の下方に発光ダイオードからなる発光素子を配列した表示装置を開示している。
【０００４】
意匠登録第１２２３２７０号公報は、上面を階段状に形成した小プリズム部を複数並べべてなるプリズムの該小プリズム部の下側に発光ダイオードからなる発光素子を配置した表示装置を開示している。
【０００５】
【特許文献１】意匠登録第１２２３２６９号公報
【特許文献２】意匠登録第１２２３２７０号公報
【発明の開示】
【発明が解決しようとする課題】
【０００６】
これら従来の、発光素子とプリズムとを利用した表示装置は、それなりの表示効果を発揮するのであるが、これら従来の表示装置とは異なる状態、趣で光表示でき、それにより人目を引いたり、目的とする表示を効果的に行える目新しい表示装置の出現が望まれている。
【０００７】
本発明は、かかる要請に応え、発光素子とプリズムとを利用した表示装置であって、従来の同タイプの表示装置とは異なる状態、趣で目新しく光表示を行える表示装置を提供することを課題とする。
【課題を解決するための手段】
【０００８】
本発明は前記課題を解決するため、
発光素子とプリズムとを含み、該発光素子からの光を該プリズムに入射し、該プリズムから出射させる表示ユニットを１又は２以上有する表示装置であって、少なくとも一つの表示ユニットにおいては、該プリズムは、下から上へ順次重ねられた複数層部分からなっており、該複数層部分の各層部分は、該層部分に隣り合う層部分と段差部を形成しており、複数の発光素子挿入穴がプリズム側周面からプリズム中へ横方向に形成されており、該各発光素子挿入穴に発光素子の少なくとも発光部分が挿入配置されている表示装置を提供する。
【０００９】
本発明に係る表示装置は、発光素子とプリズムを利用して光表示を行うものであるが、少なくとも一つの表示ユニットにおいては、プリズムは、下から上へ順次重ねられた複数層部分からなっており、該複数層部分の各層部分は、該層部分に隣り合う層部分と段差部を形成しており、複数の発光素子挿入穴がプリズム側周面からプリズム中へ横方向に形成された、従来見られなかった独特の構造のものである。
【００１０】
そして、各発光素子挿入穴に発光素子の少なくとも発光部分が挿入配置されている。
このような構造の表示ユニットでは、各発光素子が発する光はプリズムに入射され、該プリズムの独特の構成に基づいて、複雑に屈折しつつ、また、プリズム中で１又は複数回全反射し、屈折しつつ、さらに該表示ユニットにおける他の発光素子からもプリズム中へ光入射があるときは、該他の発光素子から入射された光と混ざり合いながら、プリズム外へ出射していく。
【００１１】
これらにより、本発明に係る表示装置は、従来の発光素子とプリズムを利用した表示装置に対して、異なる状態、趣で光表示を行うことができ、それにより、人目を引いたり、目的とする種々の表示が可能である。
【００１２】
前記複数層部分からなるプリズムにおける該複数層部分の各層部分は、該層部分に隣り合う層部分と段差部を形成しているのであるが、この場合、複数層部分全体が呈する形状としては、代表的には錐台形状である。しかし、それに限定されるものではなく、例えば下部が太く、途中部分が細く、上部が途中部分より太い、というような様々な形状を挙げることができる。
【００１３】
前記複数層部分からなるプリズムにおける該複数層部分が、全体として錐台状に下から上へ順次重ねられている場合における、かかる「錐台状」としては、代表的には円錐台状であるが、それに限定されるものではなく、四角錐台状、６角錐台状等の多角形錐台状や、円錐台と多角形錐台とを組み合わせたような錐台状等であってもよい。
【００１４】
前記のプリズム側周面からプリズム中へ横方向に形成される複数の発光素子挿入穴のうちの１又は２以上のそれぞれが、複数段の層部分に跨がって形成されていてもよい。
また、複数の発光素子挿入穴のうち１又は２以上（但し全数より少数）が、ある段の層部分の側周面から形成され、残りの穴は他の１段又は２段以上の層部分の側周面から形成されていてもよい。
【００１５】
光表示効果を上げる等のために、例えば、発光素子挿入穴が、少なくとも最下段の層部分に形成されている場合を挙げることができる。
既述のように、複数層部分からなるプリズムにおける該複数層部分が、全体として錐台状に下から上へ順次重ねられている場合においては、光表示をより効果的に行ううえで、発光素子挿入穴を、該複数層部分のうち少なくとも最下段の層部分に、或いは該発光素子挿入穴の全数を該最下段の層部分に形成してもよい。
【００１６】
いずれにしても、発光素子挿入穴が一つの段の層部分に形成されているとき、該穴が隣り合う段の層部分に、またがって形成されていてもよい。
なお、「横方向の発光素子挿入穴」における「横方向」とは、複数の層部分が重ねられている上下方向に対して垂直な方向が代表的なものであるが、これに限定されるものではなく、かかる垂直方向ではないが、該上下方向を横切る方向も含まれる。
【００１７】
本発明に係る表示装置における、前記の複数層部分らかなるプリズムを含む表示ユニットでは、発光素子は複数個採用されることになるが、かかる発光素子としては、同色の光を発するものばかりでもよいが、より表示効果を上げるために、赤色発光素子、緑色発光素子及び青色発光素子から選ばれた少なくとも２種類の発光素子、より好ましくは、それら３種類の発光素子を用いてもよい。
この場合、前記の複数層部分らかなるプリズムには、前記発光素子挿入穴として、該選ばれた各色の発光素子をそれぞれ挿入配置する穴を形成しておけばよい。
【００１８】
表示効果を上げる等のために、前記複数層部分らかなるプリズムは、最下段層部分の下面中央部からプリズム中を上方へプリズム高さの途中まで立ち上がる穴を有していてもよく、また、最下段層部分の下面中央部から最上段層部分の上面中央部まで貫通する孔を有していてもよく、或いは、最下段層部分の下面中央部からプリズム中を上方へプリズム高さの途中まで立ち上がる穴を有しているとともに、下面が該穴に臨み、上面がプリズム上方へ向け露出されたレンズ部を含んでいてもよい。
【００１９】
いずれにしても、前記の複数層部分らかなるプリズムは、例えば、該複数層部分のうち各隣り合うもの同士が透明接着剤で接着固定されるとか、複数層部分が所定配置関係を保って重ねられた状態で適当な固定具で固定されるとかしてもよいが、透明材料（例えば透明合成樹脂、透明ガラス）で一体的に成形等の手法で形成することが、製作費を安価にする、プリズムを取扱い易くする等の点で好ましい。
【００２０】
また、いずれにしても、少なくとも、前記複数層部分らかなるプリズムを含む表示ユニットについて、該ユニットにおける発光素子の動作を制御する制御部を設け、該制御部において、各発光素子の発光動作（各発光素子の点滅、発光素子間の点滅の順序、発光させる発光素子の組み合わせ等）を制御できるようにすることが、表示効果を上げるうえで好ましい。
【発明の効果】
【００２１】
以上説明したように本発明によると、発光素子とプリズムとを利用した表示装置であって、従来の同タイプの表示装置とは異なる状態、趣で目新しく光表示を行える表示装置を提供することができる。
【発明を実施するための最良の形態】
【００２２】
以下本発明の実施形態を図面を参照して説明する。
図１（Ａ）は本発明に係る表示装置の１例の平面図であり、図１（Ｂ）は図１（Ａ）のＸ−Ｘ線に沿う断面図である。図２（Ａ）はプリズムの拡大平面図であり、図２（Ｂ）は、図２（Ａ）のＹ−Ｙ線に沿う断面図である。
【００２３】
図１に示す表示装置ＤＳは、装置ケース１、ケース１内の上部に配置された基板２、基板表面に配列された６個の表示ユニットＵ１〜Ｕ６、基板裏面に設けられたユニット駆動部３（図１（Ｂ）参照）、基板２の周縁とケース１の上端周縁とに渡し設けられた鏡板４等を含んでいる。図１（Ｂ）において、ユニット駆動部３はブロック化して示してある。      
【００２４】
基板２は、ユニット駆動部３を介してケース１の底部に設置されており、上面（表面）が白色である。鏡板４の上面（表面）は鏡面である。表示ユニットＵ１〜Ｕ６のそれぞれは同構成である。
各表示ユニットは、基板２の上面に配列された６個の発光素子〔本例では、いずれも所謂砲弾型の発光ダイオード（ＬＥＤ）〕とプリズム５とを含んでいる。
【００２５】
６個の発光素子は、２個の赤色発光素子ＲＬＥＤ、２個の緑色発光素子ＧＬＥＤ及び２個の青色発光素子ＢＬＥＤである。
これら発光素子は、いずれか一つの赤色発光素子ＲＬＥＤを基準にしてみると、図１（Ａ）において時計方向まわりに、該基準の赤色発光素子ＲＬＥＤ、緑色発光素子ＧＬＥＤ、青色発光素子ＢＬＥＤ、赤色発光素子ＲＬＥＤ、緑色発光素子ＧＬＥＤ、青色発光素子ＢＬＥＤの順で等中心角度（６０度）間隔で放射状に、且つ、各発光素子の発光部分ＬＥＰ（図２参照）をプリズム５の中心へ向けて配列されている。各発光素子はそのリード線Ｌｉにて基板２に支持されている。リード線Ｌｉは基板２を貫通してユニット駆動部３に接続されている。
【００２６】
プリズム５は、図２にも示すように、全体として円錐台形状のもので、透明合成樹脂材料から一体的に成形されている。さらに説明すると、プリズム５は、５段の平面視（平面から見ると）円形の層部分５１〜５５を下から上へ、それらの中心を一致させて重ね、且つ、これら層部分を一体的に形成したものである。最下段の層部分５１は、他の層部分５２〜５５のそれぞれと比べると厚く形成されており、層部分５２〜５５のそれぞれは層部分５１よりは薄く、いずれも同じ厚さに形成されている。各層部分とそれに隣り合う層部分とで段差部５０が形成されている。
【００２７】
最下段の層部分５１には、その側周面から、プリズム５の中心へ向けて、横方向に発光素子挿入穴５６が形成されている。発光素子挿入穴５６は、前記の６個の発光素子の配列に対応させて六つ、等中心角度（６０度）間隔で形成されている。
【００２８】
各発光素子挿入穴５６は、その上部が一つ上段の層部分５２にも及んでいるとともに、プリズム下方へ開放されている。
このプリズム５は、配列された６個の発光素子の上方から、且つ、一つの穴５６に一つの発光素子が嵌まるようにして基板２上に搭載されており、接着剤で基板２に固定されている。かくして、各発光素子はその発光部分ＬＥＰが穴５６内に位置している。
なお、プリズム５の基板２への固定は、他の適当な部材を用いるなどして行ってもよい。
また、プリズム５は、最下段の層部分５１の下面中央部からプリズム中を上方へ向け、下から２段目の層部分５２の中程まで立ち上がる穴５７を有している。
【００２９】
プリズム５の各部寸法の１例を図２（Ｂ）を参照して示すと、
層部分５１の外径ｄ１＝３０ｍｍ、
層部分５５の外径ｄ２＝１８ｍｍ、
（層部分５４、５３、５２の外径はそれぞれ２１ｍｍ、２４ｍｍ、２７ｍｍ）
全高ｈ１＝１３．２ｍｍ、
層部分５２〜５５のそれぞれの厚み（高さ）ｈｏ＝１．７５ｍｍ、
各層部分の上端周縁の凸丸みの曲率半径ｒ１＝０．７５ｍｍ、
各段差部５０からその上段の層部分へ至る凹丸み部分の曲率半径ｒ２＝０．７５ｍｍ、  発光素子挿入穴５６の高さｈ２＝７ｍｍ、
発光素子挿入穴５６の横方向深さｄｅ＝６．５ｍｍ、
穴５６の奥上端の凹丸み曲率半径ｒ３＝３ｍｍ、
中央穴５７の内径ｄ３＝８ｍｍである。
【００３０】
表示ユニットＵ１〜Ｕ６は、図１（Ｂ）に鎖線で示すように、透明カバー６で覆ってもよい。
ユニット駆動部３は、図３（Ａ）に示すように、
整流用ダイオードＤ１及び電圧平滑化用コンデンサＣ１を含む整流・平滑回路３１、
抵抗Ｒ１、ツエナダイオードＤ２及びコンデンサＣ２を含む定電圧回路３２、及び
表示ユニットＵ１〜Ｕ６のそれぞれにおける発光素子の発光動作を制御する制御部Ｃｏｎｔを含んでいる。
【００３１】
外部電源ＰＷから電線３０を介して供給される交流電圧が整流・平滑回路３１において整流、平滑処理され、それにより得られる駆動電圧Ｖｃｃが表示ユニットＵ１〜Ｕ６のそれぞれにおける発光素子ＲＬＥＤ、ＧＬＥＤ、ＢＬＥＤの駆動に供される一方、該電圧が定電圧回路３２にて定電圧化処理され、それにより得られる制御部駆動電圧Ｖｄｄが制御部Ｃｏｎｔの駆動に供される。
なお、回路３１、３２は表示装置ＤＳには含めないで、後付けされる回路としてもよい。
【００３２】
各表示ユニットにおける回路構成は、本例では図３（Ｂ）に示すように、電圧Ｖｃｃの印加が可能なように、２個の赤色発光素子ＲＬＥＤ、抵抗Ｒ２及びトランジスタＴｒが直列に接続され、２個の緑色発光素子ＧＬＥＤ、抵抗Ｒ３及びトランジスタＴｒが直列に接続され、さらに、２個の青色発光素子ＢＬＥＤ、抵抗Ｒ４及びトランジスタＴｒが直列に接続され、且つ、これらの直列接続されたグループが並列接続されたものである。
【００３３】
スイッチとして機能する各トランジスタＴｒが抵抗Ｒ５を介して、制御部Ｃｏｎｔから制御され、それにより、各表示ユニットにおいて赤色発光素子ＲＬＥＤ、緑色発光素子ＧＬＥＤ及び青色発光素子ＢＬＥＤのそれぞれの点滅、点滅の組み合わせ、点滅の順序等が制御され、また、表示ユニット間での発光素子の点滅、点滅の組み合わせ、点滅の順序等が制御される。
【００３４】
以上説明した表示装置ＤＳによると、表示ユニットＵ１〜Ｕ６のそれぞれにおいて、プリズム５は、下から上へ順次重ねられた複数層部分からなっており、該複数層部分の各層部分は、該層部分に隣り合う層部分とで段差部を形成しており、複数の発光素子挿入穴５６が最下段の層部分５１の側周面からプリズム中へ横方向に形成された、従来見られなかった独特の構造のものである。
【００３５】
そして、各発光素子挿入穴５６に発光素子ＲＬＥＤ、ＧＬＥＤ又はＢＬＥＤの発光部分ＬＥＰが挿入配置されている。
各表示ユニットにおけるこれら発光素子は、制御部Ｃｏｎｔの指示のもとに、所定の点滅の組み合わせ、点滅の順序等で点滅する。また、表示ユニットＵ１〜Ｕ６を全体的に見た場合、それら表示ユニットは、制御部Ｃｏｎｔの指示のもとに、所定の点滅の組み合わせ、点滅の順序等で点滅する。
【００３６】
各表示ユニットにおいて、発光素子の発光によりプリズム５に入射された光は、該プリズムの独特の構成に基づいて、複雑に屈折しつつ、また、プリズム中で１又は複数回全反射し、屈折しつつ、さらに該表示ユニットにおける他の発光素子からもプリズム中へ光入射があるときは、該他の発光素子から入射された光と混ざり合った色を呈しながら、プリズム５外へ出射していく。
【００３７】
これらにより、表示装置ＤＳは、従来の発光素子とプリズムを利用した表示装置とは異なる状態、趣で光表示を行うことができ、それにより、人目を引いたり、目的とする種々の表示が可能である。
さらに、本例では、発光素子挿入穴５６はプリズム外へ向かって開放されているので、点灯した発光素子の光の色が該穴５６からもプリズム５外へ出るので、この光とプリズム５から出射される光との組み合わせの点でも、人目を引くことができる。
【００３８】
制御部Ｃｏｎｔによる表示ユニットＵ１〜Ｕ６の発光素子の発光動作制御の１例を以下に示す。以下の記載において、
各表示ユニットは符号Ｕ１等で示す。矢印「→」は制御の進行順序を示している。
「ＷＡＩＴ」は、前ステップの状態を維持して予め定めた一定時間経過待ちの状態を示している。
「赤点灯」は赤色発光ダイオードＲＬＥＤの点灯を、「緑点灯」は緑色発光ダイオードＧＬＥＤの点灯を、「青点灯」は青色発光ダイオードＢＬＥＤの点灯を示している。
【００３９】
制御部Ｃｏｎｔにおいて制御プログラムがスタート→
Ｕ１〜Ｕ６全消灯→ＷＡＩＴ→Ｕ１の赤点灯→ＷＡＩＴ→Ｕ１、Ｕ２の赤点灯→ＷＡＩＴ→Ｕ１、Ｕ２、Ｕ３の赤点灯→ＷＡＩＴ→Ｕ１、Ｕ２、Ｕ３、Ｕ４の赤点灯→ＷＡＩＴ→Ｕ１、Ｕ２、Ｕ３、Ｕ４、Ｕ５の赤点灯→ＷＡＩＴ→Ｕ１、Ｕ２、Ｕ３、Ｕ４、Ｕ５、Ｕ６の赤点灯→ＷＡＩＴ→Ｕ１、Ｕ２、Ｕ３、Ｕ４、Ｕ５の赤点灯及びＵ６の消灯→ＷＡＩＴ→Ｕ１、Ｕ２、Ｕ３、Ｕ４の赤点灯及びＵ５の消灯→ＷＡＩＴ→Ｕ１、Ｕ２、Ｕ３の赤点灯及びＵ４の消灯→ＷＡＩＴ→Ｕ１、Ｕ２の赤点灯及びＵ３の消灯→ＷＡＩＴ→Ｕ１の赤点灯及びＵ２の消灯→ＷＡＩＴ→Ｕ１消灯（全消灯）→
ＷＡＩＴ→Ｕ１の赤及び緑点灯（黄色表示）→ＷＡＩＴ→Ｕ１、Ｕ２のそれぞれによる黄色表示→ＷＡＩＴ→Ｕ１、Ｕ２、Ｕ３のそれぞれによる黄色表示→ＷＡＩＴ→Ｕ１、Ｕ２、Ｕ３、Ｕ４のそれぞれによる黄色表示→ＷＡＩＴ→Ｕ１、Ｕ２、Ｕ３、Ｕ４、Ｕ５のそれぞれによる黄色表示→ＷＡＩＴ→Ｕ１、Ｕ２、Ｕ３、Ｕ４、Ｕ５、Ｕ６のそれぞれによる黄色表示→ＷＡＩＴ→Ｕ１、Ｕ２、Ｕ３、Ｕ４、Ｕ５のそれぞれによる黄色表示及びＵ６消灯→ＷＡＩＴ→Ｕ１、Ｕ２、Ｕ３、Ｕ４のそれぞれによる黄色表示及びＵ５消灯→ＷＡＩＴ→Ｕ１、Ｕ２、Ｕ３のそれぞれによる黄色表示及びＵ４消灯→ＷＡＩＴ→Ｕ１、Ｕ２のそれぞれによる黄色表示及びＵ３消灯→ＷＡＩＴ→Ｕ１による黄色表示及びＵ２消灯→ＷＡＩＴ→Ｕ１消灯（全消灯）→
ＷＡＩＴ→Ｕ１の赤、緑及び青点灯（白表示）→ＷＡＩＴ→Ｕ１、Ｕ２のそれぞれによる白表示→ＷＡＩＴ→Ｕ１、Ｕ２、Ｕ３のそれぞれによる白表示→ＷＡＩＴ→Ｕ１、Ｕ２、Ｕ３、Ｕ４のそれぞれによる白表示→ＷＡＩＴ→Ｕ１、Ｕ２、Ｕ３、Ｕ４、Ｕ５のそれぞれによる白表示→ＷＡＩＴ→Ｕ１、Ｕ２、Ｕ３、Ｕ４、Ｕ５、Ｕ６のそれぞれによる白表示→ＷＡＩＴ→Ｕ１、Ｕ２、Ｕ３、Ｕ４、Ｕ５のそれぞれによる白表示及びＵ６消灯→ＷＡＩＴ→Ｕ１、Ｕ２、Ｕ３、Ｕ４のそれぞれによる白表示及びＵ５消灯→ＷＡＩＴ→Ｕ１、Ｕ２、Ｕ３のそれぞれによる白表示及びＵ４消灯→ＷＡＩＴ→Ｕ１、Ｕ２のそれぞれによる白表示及びＵ３消灯→ＷＡＩＴ→Ｕ１による白表示及びＵ２消灯→ＷＡＩＴ→Ｕ１消灯（全消灯）→ＷＡＩＴ→当初のＵ１の赤点灯へ戻る。
なお、ユニット駆動部３或いは制御部Ｃｏｎｔは、発光素子を発光させるときの発光強度（発光量）等も制御できるものでもよい。
【００４０】
図４（Ａ）は表示ユニットにおいて採用できるプリズムの他の例５’の平面図であり、図４（Ｂ）は該プリズムの断面図である。このプリズム５’は、前記のプリズム５において、穴５７を最上段の層部分５５の上面中央部まで貫通させて孔５８を形成したものである。それ以外の点は、プリズム５と同構成であり、プリズム５と同じ部分にはプリズム５と同じ参照符号を付してある。
【００４１】
図５（Ａ）は表示ユニットに採用できるプリズムのさらに他の例５”の平面図であり、図５（Ｂ）は該プリズムの断面図である。このプリズム５”は、最下段層部分５１の下面中央部からプリズム中を上方へプリズム高さの途中まで立ち上がる穴５８’を有しているとともに、下面が該穴に臨み、上面がプリズム上方へ向け露出されたレンズ部５９を含んでいるものである。それ以外の点は、プリズム５と同構成であり、プリズム５と同じ部分にはプリズム５と同じ参照符号を付してある。
【００４２】
プリズム５に代えて、プリズム５’又は５”を用いることで、プリズム５を採用する場合とは異なった状態或いは趣の光表示が可能となる。
【産業上の利用可能性】
【００４３】
本発明に係る表示装置は、各種分野において様々の目的で光表示を行うことに利用できる。例えば、パチンコ機、パチスロ機等の遊技機に関して該遊技機の状態等を表示したり、各種の報知、警告等を表示したり、さらに、電飾表示等としても利用できる。
【図面の簡単な説明】
【００４４】
【図１】図１（Ａ）は本発明に係る表示装置の１例の平面図であり、図１（Ｂ）は図１（Ａ）のＸ−Ｘ線に沿う断面図である。
【図２】図２（Ａ）はプリズムの１例の拡大平面図であり、図２（Ｂ）は図２（Ａ）のＹ−Ｙ線に沿う断面図である。
【図３】図３（Ａ）は表示ユニット駆動部の回路構成を示す図であり、図３（Ｂ）は各表示ユニットにおける発光素子を含む回路構成を示す図である。
【図４】図４（Ａ）はプリズムの他の例の拡大平面図であり、図４（Ｂ）は同プリズムの断面図である。
【図５】図５（Ａ）はプリズムのさらに他の例の拡大平面図であり、図５（Ｂ）は同プリズムの断面図である。
【符号の説明】
【００４５】
ＤＳ  表示装置
Ｕ１〜Ｕ６  表示ユニット
１  装置ケース
２  基板
３  ユニット駆動部
３１  整流・平滑回路
Ｄ１  整流用ダイオード
Ｃ１  電圧平滑化用コンデンサ
３２  定電圧回路
Ｒ１  抵抗
Ｄ２  ツエナダイオード
Ｃ２  コンデンサ
Ｃｏｎｔ  制御部
ＰＷ  外部電源
３０  電線
４  鏡板
５、５’、５”  プリズム
５１〜５５  プリズム５を構成する層部分
５０  段差部
５６  発光素子挿入穴
５７  中央穴
５８  貫通孔
５８’  穴
５９  レンズ部
６  透明カバー
ＲＬＥＤ  赤色発光素子
ＧＬＥＤ  緑色発光素子
ＢＬＥＤ  青色発光素子
ＬＥＰ  発光素子の発光部分
Ｌｉ  発光素子のリード線
Ｒ２、Ｒ３、Ｒ４、Ｒ５  抵抗
Ｔｒ  トランジスタ
【図１】
2006201369.tif 000003
【図２】
2006201369.tif 000004
【図３】
2006201369.tif 000005
【図４】
2006201369.tif 000006
【図５】
2006201369.tif 000007